(57)【要約】【課題】  中方立などの戸枠部と引き戸との隙間をシール部材により塞ぐことで引き戸を閉めたときの遮蔽効果を向上しつつも、引き戸の開閉動作の一層の円滑化を図るとともに、シール部材の劣化を防止する。【解決手段】  上下方向に長尺の戸枠部に対して左右にスライドする引き戸と、前記戸枠部との隙間を密閉する引き戸のシール装置であって、戸枠部の引き戸走行側の側部に引き戸に対して近接・離反可能に取り付けられる上下方向の長尺のフラップと、該フラップに取り付けられ且つフラップが引き戸に近接した姿勢で引き戸の側面に密接するシール部材と、前記フラップを引き戸から離反する方向に付勢する付勢部材とから構成され、引き戸の閉じ動作の最終過程で引き戸に設けた密閉解除凸部がフラップの近接用操作片を動作してフラップを引き戸近接姿勢に回動するようにした構造。【選択図】  図１
2005232816.tif 000002
【特許請求の範囲】
【請求項１】
上下方向に長尺の戸枠部に対して左右にスライドする引き戸と、前記戸枠部との隙間を密閉する引き戸のシール装置であって、戸枠部の引き戸走行側の側部に前記引き戸に対して近接・離反可能に取り付けられる上下方向の長尺のフラップと、該フラップに取り付けられ且つフラップが引き戸に近接した姿勢で引き戸の側面に密接するシール部材と、前記フラップを引き戸から離反する方向に付勢する付勢部材とからなり、前記フラップは近接用操作片を備え、前記引き戸は開き方向先端部に密閉解除凸部を備え、該密閉解除凸部は引き戸の閉じ動作の最終過程で前記近接用操作片に当接してシール部材が引き戸に密接する位置までフラップを回動するように形成されている引き戸のシール装置。
【請求項２】
上下方向に長尺の戸枠部に対して左右にスライドする引き戸と、前記戸枠部との隙間を密閉する引き戸のシール装置であって、戸枠部の引き戸走行側の側部に前記引き戸に対して近接・離反可能に取り付けられる上下方向の長尺のフラップと、該フラップに取り付けられ且つフラップが引き戸に近接した姿勢で引き戸の側面に密接するシール部材と、該フラップを引き戸から離反する方向と近接する方向に反転付勢する付勢部材とからなり、前記フラップは近接用操作片と離反用操作片とを備え、前記引き戸は開き方向先端部に密閉解除凸部を備え、該密閉解除凸部は引き戸の閉じ動作の最終過程で前記近接用操作片に当接してフラップを引き戸に近接する姿勢に反転させ、引き戸の開き動作の初期過程で前記離反用操作片に当接してフラップを引き戸から離反する方向に反転させるように形成されている引き戸のシール装置。
【発明の詳細な説明】
【技術分野】
【０００１】
本発明は、建具や家具などの引き戸のシール装置に関する。
【背景技術】
【０００２】
一般に、家屋の部屋を仕切る壁に引き戸を設ける場合、図７に示すように、左右の壁１，１の間に開口部２を形成し、この開口部２に引き違いの引き戸を設けるか、或いは図示のように、引き戸一枚分の中間固定壁３を設けて、この中間固定壁３に沿って一枚の引き戸４を左右にスライドするように配設している。図７（ａ）は引き戸４が閉位置にあるときの簡略断面図であり、図７（ｂ）は引き戸４の開閉スライド時の簡略断面図であり、図７（ｃ）は引き戸４が開位置にあるときの簡略断面図である。なお、中間固定壁３の先端に設けられた柱枠５は中方立又は半方立と呼ばれ、左右壁１，１の先端に設けられた柱枠６は方立と呼ばれている。
【０００３】
中方立５の引き戸走行側に面する側面と引き戸４との間に隙間があると部屋間の遮蔽効果が劣化するので、できるだけこの隙間を小さくすることが要求される一方、中方立は木材製であるため長期使用中に小さな反りや曲げが生じることがあり、この反りが引き戸側にあらわれると引き戸に当たって開閉に支障を来すという問題があるため、中方立と引き戸との隙間はある程度確保せざるを得ない。
【０００４】
かかる隙間を塞いで遮蔽効果を高める従来の引き戸のシール装置としては、例えば、特許文献１に記載のものがある。この従来技術では、中方立の引き戸走行側に面する側面に長さ方向に沿った溝を設け、この溝に長尺の金属補強材を嵌め込み固定し、この金属補強材を覆い隠す装飾プレートを中方立の表面と面一となるように貼り付けるとともに、装飾プレートの表面に、引き戸との隙間を塞ぐ柔軟なシール部材を長さ方向に沿って設けることで、中方立の反りや曲げの発生を抑えつつ、遮蔽効果を一層高めるようにしている。
【特許文献１】特開２００１−７３６４２号公報
【発明の開示】
【発明が解決しようとする課題】
【０００５】
しかし、シール部材が常時引き戸に押し付けられていると、引き戸の開閉操作時の摺動抵抗が増し、スムーズな動作に支障をきたすとともに、シール部材の劣化も早くなってしまう。
【０００６】
そこで、本発明は、中方立などの戸枠部と引き戸との隙間をシール部材により塞ぐことで引き戸を閉めたときの遮蔽効果を向上しつつも、引き戸の開閉動作の過程においてシール部材が引き戸側面から遊離して接触によるシール部材の摩耗や劣化を防止すると共に、開閉動作の円滑化を図ることを目的とする。
【課題を解決するための手段】
【０００７】
本発明は、上記目的を達成するために、次の技術的手段を講じた。
【０００８】
すなわち、本発明は、上下方向に長尺の戸枠部に対して左右にスライドする引き戸と、前記戸枠部との隙間を密閉する引き戸のシール装置であって、戸枠部の引き戸走行側の側部に前記引き戸に対して近接・離反可能に取り付けられる上下方向の長尺のフラップと、該フラップに取り付けられ且つフラップが引き戸に近接した姿勢で引き戸の側面に密接するシール部材と、前記フラップを引き戸から離反する方向に付勢する付勢部材とからなり、前記フラップは近接用操作片を備え、前記引き戸は開き方向先端部に密閉解除凸部を備え、該密閉解除凸部は引き戸の閉じ動作の最終過程で前記近接用操作片に当接してシール部材が引き戸と密接する位置までフラップを回動するように形成されている構造とした。かかる本発明によれば、引き戸の開閉動作時にはフラップがシール部材と共に引き戸から離反する方向に後退しているため、シール部材の接触による摩耗や劣化がなくなって使用寿命を延ばすことができるものでありながら、引き戸を閉じたときにはシール部材によって引き戸と戸枠部との隙間を塞ぎ、引き戸による遮蔽効果を一層向上することができる。なお、シール部材としては、モヘアテープ等の植毛体のほか、柔らかいシート状のゴム製品であってもよく、そのた適宜のものを用いることができる。また、本発明において、「密閉」とは、完全に通気性を遮断する意ではなく、目的に応じた遮蔽作用が得られる状態をいう。
【０００９】
また本発明では、上下方向に長尺の戸枠部に対して左右にスライドする引き戸と、前記戸枠部との隙間を密閉する引き戸のシール装置であって、戸枠部の引き戸走行側の側部に前記引き戸に対して近接・離反可能に取り付けられる上下方向の長尺のフラップと、該フラップに取り付けられ且つフラップが引き戸に近接した姿勢で引き戸の側面に密接するシール部材と、該フラップを引き戸から離反する方向と近接する方向に反転付勢する付勢部材とからなり、前記フラップは近接用操作片と離反用操作片を備え、前記引き戸は開き方向先端部に密閉解除凸部を備え、該密閉解除凸部は引き戸の閉じ動作の最終過程で前記近接用操作片に当接してフラップを引き戸に近接する姿勢に反転させ、引き戸の開き動作の初期過程で前記離反用操作片に当接してフラップを引き戸から離反する方向に反転させるように形成されている構造も特徴とする。この場合も引き戸の開閉動作時にはフラップがシール部材と共に引き戸から離反する方向に後退しているため、シール部材が接触による摩耗や劣化がなくなって使用寿命を延ばすことができるものでありながら、引き戸を閉じたときにはシール部材によって引き戸と戸枠部との隙間を塞ぎ、引き戸による遮蔽効果を一層向上することができる。
【００１０】
さらに、前記密閉解除部は左右方向に長尺であって且つ前記引き戸の戸枠部側の側面よりも戸枠部側に向けて突出しており、該密閉解除部が当接する前記フラップの部分には前記シール部材が設けられいない構成とするのが好ましい。
【００１１】
また、前記フラップは、戸枠部の引き戸走行側の側部に設けられた上下方向に沿う溝内に取り付けられているのが好ましい。これによれば、引き戸の取り付けによって溝やフラップなどを引き戸により覆い隠すことができ、意匠感を向上することができる。また、フラップは、上下方向に沿う軸心回りに揺動するように戸枠部に取り付けることができる。この場合、付勢部材としては、トーションバネやコイルバネなどを用いることができる
【発明の効果】
【００１２】
本発明によれば、中方立などの戸枠部と引き戸との隙間をシール部材により塞ぐことで引き戸を閉めたときの遮蔽効果を向上しつつも、引き戸の開閉動作時にはプレートがシール部材と共に引き戸から離反する方向に後退しているため、シール部材が接触による摩耗や劣化がなくなって使用寿命を延ばすことができるとともに、引き戸の開閉動作の一層の円滑化を図ることができる。したがって、バリアフリー住宅などにおいて、高齢者などでも軽く開閉できるとともに、遮蔽効果を高めることで光熱費や騒音を低減した住宅を提供できる。加えて密閉解除凸部が引き戸の開き方向一端部にのみに設けられているから、目立つことがなく引き戸の意匠を損なうことがない、といった効果がある。
【発明を実施するための最良の形態】
【００１３】
以下、本発明の実施の形態を図示実施例に基づいて説明する。
【００１４】
図１〜図４は本発明の一実施例に係る引き戸のシール装置１０を示しており、該シール装置１０は、図７に示す形態の引き戸に好適に適用できるものである。
【００１５】
本実施例のシール装置１０は、中方立５（戸枠部）側に取り付けられる座板１１、支軸１２、アルミ製フラップフラップ１３、バネ１４並びにモヘアテープ（シール部材）１５と、引き戸４側に取り付けられる密閉解除凸部１６とから構成されている。
【００１６】
座板１１は、フラップ１３を揺動可能に中方立５に対して取付支持するためのものである。中方立５の引き戸走行側に面する側面には、上下方向（長さ方向）に沿った溝５ａが設けられ、この溝５ａに座板１１が嵌め込まれて木ねじ１７で固定される。この座板１１は、少なくとも、引き戸４の上下両端部近傍の２カ所に設けることができ、必要に応じて３カ所以上設けてもよい。
【００１７】
フラップ１３は、引き戸の上下方向ほぼ全長にわたる長尺の部材からなり、上下方向に沿って座板１１に軸支するための筒状部１３ｄが設けられている。図示例では、筒状部１３ｄから放射方向に片１３ｂが延設されてその先端部分が折れ曲がって形成されており、その折れ曲がった部分の引き戸側に向いた側面１３ａがモヘアテープ１５の取付面とされている。
【００１８】
そしてフラップ１３は、図３に示すように、前記モヘアテープ１５が引き戸４に接する近接姿勢から図４に示すようにモヘアテープ１５が引き戸４から離れた離反姿勢まで揺動できるように、座板１１に対して支軸１２を介して取り付けられている。さらに、支軸１２の軸方向中途部にはバネ１４が装着され、該バネ１４によってフラップ１３が引き戸から離反する方向、即ち、モヘアテープ１５が引き戸４から離反する方向に付勢されている。なお、該フラップ１３によって座板１１や木ねじ１７が覆い隠されるようになっている。上記モヘアテープ１５は、フラップ１３の上記取付面１３ａの上下方向ほぼ全長にわたって貼着されているが、密閉解除凸部１６が当接する部分（密閉解除部材作用部分）を避けて貼り付けるようにしている。
【００１９】
更にフラップ１３の上、下端部に前記片１３ｂに対して約４５度の角度で筒状部１３ｄから放射方向に延びる近接用操作片１３ｃが設けられている。
【００２０】
密閉解除凸部１６は、図２〜図４に示すように、引き戸４の開き方向先導端側の上端部近傍と下端部近傍の２カ所で中方立５に面した側面に取り付けられる。そして図３に示す引き戸４の閉位置において、前記フラップ１３の片１３ｂと近接用操作片１３ｃの間にあって近接用操作片１３ｃを押しつけてモヘアテープ１５を引き戸４の側面に密接する状態にフラップ１３を回動するように形成されている。
【００２１】
上記した実施例によれば、引き戸４が図７（ａ）に示す閉位置にあるとき、図３に示すように、密閉解除凸部１６がフラップ１３の近接用操作片１３ｃを押しつけ、これによりモヘアテープ１５が引き戸４の側面に密接して中方立５と引き戸４との隙間が密閉される。この場合、バネ１４の反発力はフラップ１３を図４に示す離反位置に回動するに足りる程度の軽い力で形成することができるので、閉位置で引き戸がバネ１４の影響を受けることがない。
【００２２】
図３の閉位置から引き戸４を開き方向にスライドすると、図４に示すように、密閉解除凸部１６が近接用操作片１３ｂから離れ、フラップ１３がバネ１４により図中時計方向、即ち離反方向に回動し、モヘアテープ１５が引き戸４から遊離される。この状態で引き戸４を図７の(C)の開位置まで開くことができる。また引き戸４を閉じるときには密閉解除凸部１６が近接用操作片１３ｃに当たってフラップ１３を図３の近接姿勢に回動しモヘアテープ１５が引き戸４に密接して引き戸と中方立との隙間を遮蔽することができる。また引き戸のモヘアテープ１５は引き戸４から離れているので、モヘアテープ１５の摺動抵抗がなく、スムーズな開閉動作を保証すると共にモヘアテープ１５の摩耗や劣化を防止してその寿命を延長することができる。
【００２３】
上記実施例ではバネ１４がフラップ１３のモヘアテープ１５を常時離反する方向に付勢する例を示したが、図５並びに図６に示すように、フラップ１３が引き戸に近接する方向と離反する方向に反転動作するようにバネ１４’を形成してもよい。この実施例では、バネ１４’は支軸１２をデッドポイントとして図５に示すモヘアテープ離反位置と図６の接触位置とに反転して強制するように形成されている。また本実施例ではフラップ１３の片１３ｂが密閉解除凸部１６に接してモヘアテープ離反位置に反転させる離反用操作片としての役目をなす。従って図５の閉位置から引き戸４を開き方向にスライドすると、図６に示すように、密閉解除凸部１６が片（離反用操作片）１３ｂに当たってフラップ１３を引き戸から離反する方向に反転回動し、モヘアテープ１５を引き戸４から遊離させることができる。また引き戸４を閉じるときには密閉解除凸部１６が近接用操作片１３ｃに当たってフラップ１３を図５の引き戸近接姿勢に反転回動することができる。
【００２４】
なお、枠部材は、上記実施例では中方立により構成されるが、本発明はこれに限定されるものではなく、フレーム状の枠体の縦枠部などでもよく、また、引き違い戸の一方の引き戸の左右側縁部を本発明の「枠部材」として用いて、引き違い戸の二枚の引き戸の間の隙間のシール装置として実施することも可能である。また、フラップ（プレート）は、引き戸の上下方向全長にわたる長さとするのが好ましいが、短寸の複数のフラップを上下方向に配設することも可能である。また操作片１３ｂはフラップ全長にわたって形成してもよい
【図面の簡単な説明】
【００２５】
【図１】本発明の一実施例に係る引き戸のシール装置の戸枠部側構成部品の分解斜視図である。
【図２】同シール装置の引き戸側の要部拡大斜視図である。
【図３】引き戸が閉位置にあるときの同シール装置の断面図である。
【図４】引き戸が全開位置にあるときの同シール装置の断面図である。
【図５】本発明の第２の実施例を示す図３同様の断面図である。
【図６】上記第２の実施例を示す図４同様の断面図である。
【図７】引き戸の一例を示す簡略断面図であり、（ａ）は引き戸が閉位置にあるとき、（ｂ）は引き戸の開閉動作中、（ｃ）は引き戸が全開位置にあるときを示す。
【符号の説明】
【００２６】
４  引き戸
５  戸枠部（中方立）
１０  引き戸のシール装置
１１  座板
１２  支軸
１３  プレート（フラップ）
１３ｂ  離反用操作片
１１ｃ  近接用操作片
１４、１４’  付勢部材
１５  シール部材
１６  密閉解除凸部  
【図１】
2005232816.tif 000003
【図２】
2005232816.tif 000004
【図３】
2005232816.tif 000005
【図４】
2005232816.tif 000006
【図５】
2005232816.tif 000007
【図６】
2005232816.tif 000008
【図７】
2005232816.tif 000009